(57)【特許請求の範囲】
【請求項１】
無線通信のための方法であって、前記方法は第１の端末が実行し、
第２の端末から、１つのスロットにおいて１つの副搬送波セットをカバーするリソースブロックにおいて、所定の送信パワーレベルで送信されたピア発見信号を受信することと、
前記第１の端末から前記第２の端末までの経路損失を推定することであって、前記経路損失を推定することは、前記ピア発見信号の受信されたパワーレベルおよび前記所定の送信パワーレベルに基づいて前記経路損失を推定することを備える、ことと、
前記第２の端末における受信機利得設定および前記推定された経路損失に基づいてピア・ツー・ピア（ＰＴＰ）信号に関する送信パワーレベルを決定することと、
他の複数の端末と共用され得る複数のリソース要素において、前記決定された送信パワーレベルで前記ＰＴＰ信号を前記第２の端末へ送ることと
を備え、
前記複数のリソース要素は、ページング・フレーム中の利用可能な複数のシンボル期間および複数の副搬送波セットに基づいて定義される、方法。
【請求項２】
前記送信パワーレベルを決定することは、前記第２の端末における前記ＰＴＰ信号に関する目標の受信されたパワーレベルにさらに基づいて前記送信パワーレベルを決定することを備える、請求項１記載の方法。
【請求項３】
前記第２の端末から受信されたシグナリングに基づいて前記第２の端末における前記受信機利得設定を決定することをさらに備える、請求項１記載の方法。
【請求項４】
前記第２の端末における前記受信機利得設定は、前記第１の端末によりアプリオリに知られた所定の受信機利得設定または最大受信機利得設定である、請求項１記載の方法。
【請求項５】
前記ＰＴＰ信号は、前記第２の端末をページングするために前記第１の端末により送られたページング信号である、請求項１記載の方法。
【請求項６】
無線通信のための装置であって、
第２の端末から、１つのスロットにおいて１つの副搬送波セットをカバーするリソースブロックにおいて、所定の送信パワーレベルで送信されたピア発見信号を受信し、前記ピア発見信号の受信されたパワーレベルおよび前記所定の送信パワーレベルに基づいて第１の端末から前記第２の端末までの経路損失を推定し、前記第２の端末における受信機利得設定および前記推定された経路損失に基づいてピア・ツー・ピア（ＰＴＰ）信号に関する送信パワーレベルを決定し、および他の複数の端末と共用され得る複数のリソース要素において、前記決定された送信パワーレベルで前記ＰＴＰ信号を前記第２の端末へ送るように構成された少なくとも１つのプロセッサを備え、
前記複数のリソース要素は、ページング・フレーム中の利用可能な複数のシンボル期間および複数の副搬送波セットに基づいて定義される、装置。
【請求項７】
前記少なくとも１つのプロセッサは、前記第２の端末における前記ＰＴＰ信号に関する目標の受信されたパワーレベルにさらに基づいて前記送信パワーレベルを決定するように構成される、請求項６記載の装置。
【請求項８】
無線通信のための装置であって、
第２の端末から、１つのスロットにおいて１つの副搬送波セットをカバーするリソースブロックにおいて、所定の送信パワーレベルで送信されたピア発見信号を受信するための手段と、
第１の端末から前記第２の端末までの経路損失を推定するための手段であって、前記経路損失を推定するための前記手段は、前記ピア発見信号の受信されたパワーレベルおよび前記所定の送信パワーレベルに基づいて前記経路損失を推定するための手段を備える、手段と、
前記第２の端末における受信機利得設定および前記推定された経路損失に基づいてピア・ツー・ピア（ＰＴＰ）信号に関する送信パワーレベルを決定するための手段と、
他の複数の端末と共用され得る複数のリソース要素において、前記決定された送信パワーレベルで前記ＰＴＰ信号を前記第２の端末へ送るための手段と
を備え、
前記複数のリソース要素は、ページング・フレーム中の利用可能な複数のシンボル期間および複数の副搬送波セットに基づいて定義される、装置。
【請求項９】
前記送信パワーレベルを決定するための前記手段は、前記第２の端末における前記ＰＴＰ信号に関する目標の受信されたパワーレベルにさらに基づいて前記送信パワーレベルを決定するための手段を備える、請求項８記載の装置。
【請求項１０】
第２の端末から、１つのスロットにおいて１つの副搬送波セットをカバーするリソースブロックにおいて、所定の送信パワーレベルで送信されたピア発見信号を、少なくとも１つのコンピュータに受信させるためのコードと、
第１の端末から前記第２の端末までの経路損失を、前記少なくとも１つのコンピュータに推定させるためのコードであって、前記経路損失を、前記少なくとも１つのコンピュータに推定させるための前記コードは、前記ピア発見信号の受信されたパワーレベルおよび前記所定の送信パワーレベルに基づいて前記経路損失を、前記少なくとも１つのコンピュータに推定させるためのコードを備える、コードと、
前記第２の端末における受信機利得設定および前記推定された経路損失に基づいてピア・ツー・ピア（ＰＴＰ）信号に関する送信パワーレベルを、前記少なくとも１つのコンピュータに決定させるためのコードと、
他の複数の端末と共用され得る複数のリソース要素において、前記決定された送信パワーレベルで前記ＰＴＰ信号を前記第２の端末へ、前記少なくとも１つのコンピュータに送らせるためのコードと
を備え、
前記複数のリソース要素は、ページング・フレーム中の利用可能な複数のシンボル期間および複数の副搬送波セットに基づいて定義される、コンピュータ読取可能記録媒体。
【発明の詳細な説明】
【技術分野】
【０００１】
本願の開示は、一般に、通信に関するものであり、具体的に、無線通信ネットワークにおける送信パワーを制御するための技術に関する。
【背景技術】
【０００２】
無線通信ネットワークは、音声、ビデオ、パケット・データ、メッセージング(messaging)、同報通信等のような様々な通信サービスを提供するために広く配置されている。これらの無線ネットワークは、利用可能な複数のネットワーク・リソースを共用することによりマルチプルの(multiple)ユーザのための通信をサポートすることが可能であり得る。そのような無線ネットワークの複数の例は、複数の無線広域ネットワーク(WWAN)、無線メトロポリタン・エリア(metropolitan area)ネットワーク(WMAN)、および無線ローカル・エリア・ネットワーク(WLAN)を含む。
【０００３】
無線通信ネットワークにおいては、端末はピア・ツー・ピア通信用の別の端末へ信号を送信することができる。該信号は、その受信者端末が高い確率で該信号を正しく復号することができるように、十分に高いパワーで送信されなければならない。しかしながら、高過ぎるパワーレベルで該信号を送信することは、他の複数の端末への過度の干渉を引き起こし得る。したがって、他の複数の端末への干渉を減少させる一方で、該受信者端末が該信号を確実に受信することができるように、該信号を送信することが望ましい。
【発明の概要】
【０００４】
無線通信ネットワークにおける受信機利得設定に基づいて送信パワー制御を行なうための複数の技術がここに記載されている。１つの態様では、端末Ａは、受信者端末Ｂにおける受信機利得設定および経路損失に基づいてピア・ツー・ピア(ＰＴＰ)信号のために使用すべき送信パワーレベルを決定することができる。これは、他の複数の端末への干渉を減少させる一方で、端末Ｂが該ＰＴＰ信号を高確率で復号し得ることを保証することができる。１つの設計では、端末Ａは、たとえば、端末Ｂから受信されたピア発見信号(peer discovery signal)に基づいて、端末Ｂまでの経路損失を推定することができる。端末Ａは端末Ｂにおける受信機利得設定を決定することができ、それは、該端末Ａによりアプリオリに(a priori)知られることができ、あるいは端末Ｂにより信号を送られる(signaled)ことができる。端末Ａは、該ＰＴＰ信号に関する目標の受信されたパワーレベル、端末Ｂにおける該受信機利得設定、および該推定された経路損失に基づいてＰＴＰ信号（たとえば、ページング信号）に関する送信パワーレベルを決定することができる。端末Ａはその後、該ＰＴＰ信号を該決定された送信パワーレベルで端末Ｂへ送ることができる。
【０００５】
別の態様においては、端末Ｂは、他の複数の端末から複数のＰＴＰ信号を受信するために異なる時間インターバルにおいて異なる受信機利得設定を使用することができる。これは、端末Ｂまで異なる距離の複数の端末が端末Ｂへ適切な複数のパワーレベルで複数のＰＴＰ信号を送信することを可能にし得る。1つの設計では、端末Ｂは、たとえば、１つのパターンに基づいて、異なる時間インターバルにおいて異なる受信機利得設定を選択することができる。端末Ｂは、その時間インターバルに関して選択された受信機利得設定に基づいて、各時間インターバルにおいて他の複数の端末から複数のＰＴＰ信号を受信することができる。たとえば、端末Ｂは、高い（あるいは低い）受信機利得設定が選択される複数の時間インターバル中に高い（あるいは低い）経路損失を備えた他の複数の端末から複数のページング信号を受信することができる。
【０００６】
端末Ａは、異なる時間インターバルにおいて端末Ｂによって使用された異なる受信機利得設定、および端末ＡとＢとの間の経路損失に基づいて、ＰＴＰ信号を端末Ｂへ送るのに適切な時間インターバルを選択することができる。端末Ａはその後、該ＰＴＰ信号に関する目標の受信されたパワーレベル、該経路損失、および該選択された時間インターバルにおいて端末Ｂにより使用された該受信機利得設定に基づいて、該ＰＴＰ信号に関する送信パワーレベルを決定することができる。端末Ａはその後、該ＰＴＰ信号を該選択された時間インターバルにおいておよび該決定された送信パワーレベルで端末Ｂへ送ることができる。
【０００７】
以下、本願の開示の種々の態様および特徴をさらに詳細に説明する。
【図面の簡単な説明】
【０００８】
【図１】図１は無線通信ネットワークを示す。
【図２】図２はピア・ツー・ピア通信のための一例のメッセージ・フローを示す。
【図３】図３は一例の送信構造を示す。
【図４】図４は１つの端末から別の端末までの送信を示す。
【図５】図５は、受信機利得設定に基づくパワー制御を用いてページング信号を送信する１つの設計を示す。
【図６】図６は、異なる受信機利得設定を用いて複数のページング信号を受信する１つの設計を示す。
【図７】図７はＰＴＰ信号を送るためのプロセスを示す。
【図８】図８はＰＴＰ信号を送るための装置を示す。
【図９】図９は、複数のＰＴＰ信号を受信するためのプロセスを示す。
【図１０】図１０は、複数のＰＴＰ信号を受信するための装置を示す。
【図１１】図１１は、ＰＴＰ信号を送るための別のプロセスを示す。
【図１２】図１２は、ＰＴＰ信号を送るための別の装置を示す。
【図１３】図１３は、２つの端末のブロック図を示す。
【発明を実施するための形態】
【０００９】
ここに記載された複数の技術は、ＷＷＡＮ、ＷＭＡＮ、ＷＬＡＮ等のような様々な無線通信ネットワークに使用され得る。「ネットワーク」及び「システム」という用語は、しばしば交換可能に使用される。ＷＷＡＮは、ＣＤＭＡ(Code Division Multiple Access)ネットワーク、ＴＤＭＡ(Time Division Multiple Access)ネットワーク、ＦＤＭＡ(Frequency Division Multiple Access)ネットワーク、ＯＦＤＭＡ(Orthogonal FDMA)ネットワーク、ＳＣ-ＦＤＭＡ(Single-Carrier FDMA)ネットワーク等であることができる。ＣＤＭＡネットワークは、ＵＴＲＡ(Universal Terrestrial Radio Access)、ｃｄｍａ2000等のようなラジオ・テクノロジー(technology)をインプリメントする(implement)ことができる。ＴＤＭＡネットワークは、ＧＳＭ（登録商標）(Global System for Mobile Communications)のようなラジオ・テクノロジーをインプリメントすることができる。ＯＦＤＭＡネットワークは、Ｅ−ＵＴＲＡ(Evolved ＵＴＲＡ)、ＵＭＢ(Ultra Mobile Broadband )、フラッシュＯＦＤＭ（登録商標）等のようなラジオ・テクノロジーをインプリメントすることができる。ＬＴＥ(Long Term Evolution) はＥ−ＵＴＲＡを使用する「第３世代パートナーシップ・プロジェクト（3rd Generation Partnership Project）」（３ＧＰＰ）のこれから出てくる(upcoming)リリースであり、それはアップリンク上でＳＣ−ＦＤＭＡを使用し、ダウンリンク上でＯＦＤＭＡを使用する。ＷＬＡＮは、Ｈｉｐｅｒｌａｎ、（Ｗｉ−Ｆｉとも呼ばれる）複数の標準のＩＥＥＥ ８０２．１１ファミリーの中の1つまたはそれより多くの標準をインプリメントすることができる。ＷＭＡＮは、（ＷｉＭＡＸとも呼ばれる）複数の標準のＩＥＥＥ ８０２．１６ファミリーの中の1つまたはそれより多くの標準をインプリメントすることができる。ここに記述された複数の技術は、上述された複数のラジオ・テクノロジーおよび他の複数のラジオ・テクノ
ロジーのために使用され得る。
【００１０】
図1は無線通信ネットワーク100を示し、それは多数の基地局および多数の端末を含むことができる。簡単化のために、図１には、１つの基地局110と４つの端末120a、120b、120cおよび120dだけが示されている。基地局は、該複数の端末と通信し、アクセス・ポイント、ノードＢ、進化型ノードＢ(ｅＮＢ)等とも呼ばれ得る固定(fixed)局であることができる。基地局110は、特定の地理的エリアに通信カバレージを提供する。「セル」という用語は、該基地局のカバレージ・エリアおよび、またはこのカバレージ・エリアにサービスする(serving)基地局サブシステムを指すことができる。
【００１１】
複数の端末120はネットワークの全体にわたって分散されることができ、各端末は静止していることができ、あるいは可動性であることができる。端末はまた、アクセス端末、移動局、ユーザ装置（ＵＥ）、加入者ユニット、ステーション等と呼ばれることができる。端末は、セルラーホン(cellular phone)、携帯情報端末(ＰＤＡ)、無線モデム、無線通信デバイス、ハンドヘルド(handheld)デバイス、ラップトップ・コンピュータ、コードレス・ホン、無線ローカル・ループ（ＷＬＬ）局等であることができる。端末は基地局と通信することができ、および、または情報（たとえば、タイミング情報）を該基地局から受信することができる。その代わりに、あるいはそれに加えて、該端末は、他の複数の端末とピア・ツー・ピア(peer-to-peer)で通信することができる。
【００１２】
図２は、無線ネットワーク100における２つの端末ＡとＢとの間のピア・ツー・ピア通信のために使用され得るメッセージ・フロー200の設計を示す。最初に(たとえば、パワー・アップ時)、端末ＡおよびＢは各々、基地局110から同報通信情報を受信することができる（ステップ１）。各端末は、該同報通信情報からタイミングおよび、おそらく、他の情報を得ることができる。端末Ａは、近くの他の複数の端末が端末Ａを検出することを可能にするためにピア発見信号(peer discovery signal)を周期的に同報通信することができる(ステップ2)。同様に、端末Ｂは、近くの他の複数の端末が端末Ｂを検出することを可能にするためにピア発見信号を周期的に同報通信することができる(ステップ3)。端末ＡおよびＢは、複数のピア発見信号によって互いの存在を検出することができる。その後、送るべきデータがある場合は常に、端末ＡおよびＢは互いにページングする(page)ことができる(ステップ4)。接続はその後確立されることができ、端末ＡおよびＢは該接続によってトラヒック・データとシグナリング(signaling)を交換することができる(ステップ5)。
【００１３】
図２は、ピア・ツー・ピア通信に使用され得る典型的な(exemplary)メッセージ・フローを示す。一般に、ピア・ツー・ピア通信のためのメッセージ・フローは、任意のタイプのメッセージおよび任意の数のメッセージを含むことができる。
【００１４】
図３は、無線ネットワーク100に使用され得る送信構造300の設計を示す。該送信タイムライン(timeline)は複数のスーパーフレーム(superframes)の複数のユニットへ分割され得る。各スーパーフレームは固定された、あるいは可変の時間持続期間(duration)をカバーすることができ、多数のフレームへ分割されることができる。図３に示されている設計において、異なるタイプの情報は異なるフレームにおいて送られることができる。いくつかのフレームは複数のピア発見信号を送るために使用されることができ、ピア発見フレームと呼ばれることができる。他のいくつかのフレームは複数のページング信号を送るために使用されることができ、ページング・フレームと呼ばれることができる。多数のあるいはほとんどのフレームはデータを送るために使用されることができ、データ・フレームと呼ばれ得る。他の複数のタイプのフレームもまた定義されることができる。異なるタイプのフレームは、同じまたは異なる時間持続期間を有することができる。
【００１５】
一般に、複数のピア発見フレームは、任意の適切な持続期間によって間隔を隔てられることができる。複数のページング・フレームはまた、任意の適切な持続期間により間隔を隔てられることができる。複数のピア発見フレームおよび複数のページング・フレームは同じまたは異なる周期性(periodicity) を有することができる。
【００１６】
図３はまたピア発見フレームの設計を示す。この設計では、該ピア発見フレームは１乃至Ｎのインデックスを備えたＮのスロットに分割され、ここで、Ｎは任意の整数値であり得る。各スロットはＳのシンボル期間を含み、ここで、Ｓは任意の整数値であり得る。
【００１７】
システムの帯域幅は、直交周波数分割多重化(ＯＦＤＭ)あるいは単一キャリア周波数分割多重化(single-carrier frequency division multiplexing)(ＳＣ−ＦＤＭ)を用いてマルチプル(Ｋ)の副搬送波へ分割されることができる。１乃至Ｍのインデックスを備えたＭの副搬送波セットが定義されることができ、ここで、Ｍ≦Ｋである。各副搬送波セットは１またはそれより多くの副搬送波を含むことができる。複数のリソース・ブロックは、該ピア発見フレーム中の利用可能な複数のスロットおよび複数の副搬送波セットに基づいて定義され得る。図3に示された設計においては、リソース・ブロックは、1つのスロットにおいて1つの副搬送波セットをカバーする。リソース・ブロックは、そのピア発見信号を送るために1つの端末によって使用されることができる。マルチプルの端末が同じリソース・ブロック上でそれらの複数のピア発見信号を送るとき、衝突(collision)が生じる。
【００１８】
図３はまた、ページング・フレームの設計を示す。この設計において、該ページング・フレームは、１乃至Ｑのインデックスを備えたＱのシンボル期間を含み、ここで、Ｑは任意の整数値であることができる。１乃至Ｐのインデックスを備えたＰの副搬送波セットは、合計Ｋの副搬送波に基づいて形成されることができ、ここで、Ｐ≦Ｋである。各副搬送波セットは1又はそれより多くの副搬送波を含むことができる。複数のリソース要素は、該ページング・フレーム中の利用可能な複数のシンボル期間および複数の副搬送波セットに基づいて定義され得る。図3に示されている設計では、リソース要素は1つのシンボル期間において1つの副搬送波セットをカバーし、該ページング・フレームにおいてＰ＊Ｑのリソース要素が利用可能です。端末は、1セットのリソース要素でページング信号を送ることができ、それは該ページング・フレームの中の該Ｐ＊Ｑの利用可能なリソース要素の中から擬似ランダムに選択されることができる。異なる端末は、該同じページング・フレーム中の異なるセットのリソース要素でそれらのページング・メッセージを異なる受信者端末へ同時に送ることができる。いくつかのリソース要素上に衝突が存在し得えるとしても、各端末からのページング信号は該受信者端末によって正しく復号されることができる。
【００１９】
端末は、その存在を近くの他の複数の端末に知らせる(announce)ためにピア発見信号を周期的に同報通信することができる。該端末は、それができるだけ遠く離れた他の複数の端末によって発見されることができるように、そのピア発見信号を最大パワーで同報通信することができる。該端末は、他の複数の端末と共用されることを意図されていない複数のリソース・ブロック上のそのピア発見信号を同報通信することができる。したがって、該ピア発見信号のために最大送信パワーを使用することは、ネットワーク性能に悪影響を与えないことができる。
【００２０】
該端末はまた、それが通信することを望む別の端末へページング信号を送信することができる。該端末は、該受信者端末がページング信号を高い確率で正しく復号することができるように、十分に高いパワーでページング信号を送信することができる。該端末は、たとえば、図３に示されている、他の複数の端末と共用され得る複数のリソース要素でページング信号を送信することができる。したがって、該端末は、該共用された複数のリソース要素上の干渉を低減させるために、該ページング信号に関するその送信パワーを制御すべきである。
【００２１】
該端末はまた、他の複数の端末からの複数のページング信号および複数のピア発見信号を受信することができる。該端末はその受信機の利得を適切な値(proper value)に設定するために自動利得制御(ＡＧＣ)を行なうことができる。受信機利得はまたＡＧＣ利得等と呼ばれることができる。適切な受信機利得を使用することは、該端末におけるアナログ・デジタル変換器(ＡＤＣ)のクリッピング(clipping)とＡＤＣクリッピングによる劣化が共に回避され得ることを確実にすることができる。
【００２２】
該端末は、以下のように他の複数の端末からの複数のピア発見信号のためのＡＧＣを行なうことができる。該端末は、該受信機利得を、たとえば、最も低い利得設定等の、初期利得設定に最初に設定することができる。該端末は、たとえば、受信されたＯＦＤＭシンボルのサイクリック・プレフィックス(cyclic prefix)のエネルギー等の、受信された信号のエネルギーを測定することができる。「エネルギー」および「パワー」という用語は関連づけられ、しばしば交換可能に使用される。該端末は、該測定されたエネルギーが目標の値より低い場合に該受信機利得を増加させることができ、あるいは該測定されたエネルギーが目標の値より高い場合に該受信機利得を減少させることができる。該目標の値は、該ＡＤＣに供給された信号が適切な振幅であるように選択されることができる。図３に示されている設計においては、マルチプルの端末は、同じスロットの中の異なるリソース・ブロックで複数のピア発見信号を同時に送信することができる。該端末は、最も強い受信された端末のエネルギーに基づいてその受信機利得を調節することができる。
【００２３】
該端末はまた複数のページング信号に関するＡＧＣを行なうことができる。しかしながら、該端末は、いずれの複数のピア端末が該端末へ複数のページング信号を送るかを知り得ない。該端末は、複数のページング信号を受信するときに、その受信機利得を可能な限り小さく調節することが望ましい。
【００２４】
１つの態様においては、端末は、受信者端末における受信機利得設定および経路損失に基づいてページング信号に関して使用するために送信パワーレベルを決定することができる。受信機利得設定は、受信者端末によって使用された初期受信機利得であり、それは、望まれた信号レベルを得るためにこの初期受信機利得を変えることができる。受信機利得設定はまた、受信機利得モード、ＡＧＣ利得設定、ＡＧＣモード等と呼ばれることができる。いずれの場合も、該送信パワーレベルは、他の複数の端末への干渉を減少させる一方で、該受信者端末がページング信号を高い確率で復号することができるように制御されることができる。
【００２５】
図４は、ある端末Ａから別の端末Ｂへの送信を示す。端末Ａは、ＰＬの経路損失を有する無線チャネルによってＰTXのパワーレベルでページング信号を送信することができる。端末Ｂは、端末Ａから該ページング信号を受信し、Ｇの受信機利得を用いて該受信された信号を増幅し、ＰRXの受信されたパワーレベルを得ることができる。該受信されたパワーレベルは次のように表わされることができる：
ＰRX＝ＰTX−ＰＬ＋Ｇ      式（１）
【００２６】
ここにおける記載では、送信パワーおよび受信されたパワーは１ミリワットに関するデシベル(ｄＢｍ)の単位で与えられる。経路損失および利得はデシベル(ｄＢ)の単位で与えられる。端末Ａはパワー制御を行ない、端末Ｂにおける受信機利得設定、端末Ａから端末Ｂまでの該経路損失、および該ページング信号に関する目標の受信されたパワーレベルの知識に基づいて適切な送信パワーレベルを選択することができる。
【００２７】
図５は、受信機利得設定に基づくパワー制御と共に端末Ａから端末Ｂにページング信号を送信する設計を示す。ピア発見フェーズ(phase)の期間中に、端末ＡはＰTXAの送信パワーレベルでピア発見信号を送信することができる。端末ＢはＰＲＸＢの受信されたパワーレベルで該ピア発見信号を受信することができ、以下のように、端末Ａから端末Ｂまでの該経路損失を決定することができる：
ＰＬAB＝ＰTXA −ＰRXB ＋ＧB      式（２）
ここで、ＰＬABは端末Ａから端末Ｂまでの経路損失であり、
ＧＢは端末Ａからの該ピア発見信号に関する端末Ｂにおける受信機利得である。
【００２８】
端末Ｂは、端末Ａに関する経路損失ＰＬAB を格納することができる。
【００２９】
同様に、端末ＢはＰTXBの送信パワーレベルでピア発見信号を送信することができる。端末ＡはＰRXAの受信されたパワーレベルで該ピア発見信号を受信することができ、以下のように、端末Ｂから端末Ａまでの該経路損失を決定することができる：
ＰＬBA＝ＰTXB −ＰRXA ＋ＧA       式（３）
ここで、ＰＬBAが端末Ｂから端末Ａまでの経路損失であり、
ＧAは端末Ｂからの該ピア発見信号に関する端末Ａにおける受信機利得である。
【００３０】
端末Ａは端末Ｂに関する経路損失ＰＬBAを格納することができる。
【００３１】
該ネットワークは時分割デュプレキシング(duplexing)(ＴＤＤ)を利用することができ、すべての端末は同じ周波数スペクトル上で送信することができる。この場合、端末Ａから端末Ｂまでの該経路損失は、端末Ｂから端末Ａまでの該経路損失にほぼ等しいことができる。さらに、該ピア発見信号に関する該送信パワーレベルは、ＰTXA ＝ＰTXB ＝ＰTX_PDSとなるように、ＰTX_PDSの所定の(predetermined)レベルに固定されることができる。この場合、端末Ａは、式(３)に示されているように、(i)ＰTX_PDSの既知の送信パワー、(ii)該ピア発見信号の該受信されたパワーレベル、および(iii)端末Ａにおける該受信機利得に基づいて、端末Ｂから端末Ａまでの経路損失ＰBAを決定することが可能であり得る。端末Ａはその後、端末Ａから端末Ｂまでの該経路損失を、
【数１】
0005642693.tif 000002
【００３２】
として推定することができる。一般に、各端末はその端末と別の端末との間の経路損失を、該別の端末から受信されたピア発見信号に基づいて決定することができる。各端末はその端末によって発見された各ピア端末に関する経路損失のテーブルを格納することができ、複数のピア発見信号が他の複数の端末から受信されるときは常にこのテーブルを更新することができる。
【００３３】
図５に示されているように、端末Ａは端末Ｂにページング信号を送ることを望むことができる。端末Ａは最初に、以下のように、ページング信号に関して使用すべき送信パワーレベルを決定することができる：
ＰTX_PS＝ＰＬBA−ＧB_PS＋ＰRX_TARGET      式（４）
ここで、
ＧB_PSは、該ページング信号に関する端末Ｂでの受信機利得設定であり、
ＰRX_TARGETは該ページング信号に関する目標の受信されたパワーレベルであり、
ＰTX_PSは該ページング信号に関する送信パワーレベルである。
【００３４】
1つの設計において、端末Ａは、端末Ｂが該ページング信号に関してＧmaxの最大の受信機利得設定を使用するので、ＧB_PS＝Ｇmaxである、と仮定することができる。別の設計では、端末Ａは、端末Ｂが該ページング信号に関する所定の(predetermined)受信機利得設定を使用するであろう、と仮定し得る。最大の受信機利得設定および該所定の受信機利得設定は、すべての端末へ知られていることができる。さらに別の設計では、該ページング信号に関する端末Ｂにおける該受信機利得設定は、端末Ｂによって伝達されることができ(たとえば、該ピア発見信号で)、あるいは他のあるやり方で端末Ａにより確認される(ascertained)ことができる。
【００３５】
１つの設計では、該目標の受信されたパワーレベルは、該ページング信号のために使用された変調および符号化スキーム(scheme)に依存することができ、すべての端末によってアプリオリに知られることができる。別の設計では、各端末はその目標の受信されたパワーレベルを、たとえば、ピア発見信号等で提供することができる。いずれの場合も、端末Ａは該ページング信号に関する該目標の受信されたパワーレベルの知識(knowledge)を有していることができる。
【００３６】
式（４）で示される設計においては、該送信パワーレベルは該目標の受信されたパワーレベルによって決定され、そしてさらに該経路損失だけ増加され、該受信機利得設定だけ減少される。たとえば、該目標の受信されたパワーレベルが０ｄＢｍであり、該経路損失が−１０ｄＢであり、該受信機利得設定が＋５０ｄＢである場合、該送信パワーレベルは−４０ｄＢｍである。一般に、より高い送信パワーは、より大きな経路損失に使用されることができ、その逆も正しい。また、より高い送信パワーは、より低い受信機利得設定に使用されることができ、その逆も正しい。式（４）の設計は、干渉を低減する一方で、端末Ｂが高い確率で該ページング信号を正しく復号することを可能にする最も低いパワーレベルで該ページング信号が送信されることを確実にすることができる。経路損失を推定することにおける不正確さ(inaccuracy)を説明する(account for)ために、該送信パワーレベルはまた、マージン(margin)(たとえば、数ｄＢ)だけ増加されることができる。
【００３７】
与えられた端末Ｘは、すべてのピア端末から複数の該ページング信号を受信するために同じ受信機利得設定を使用し得る。端末Ｘが最大の受信機利得設定を使用する場合、近くの端末は、端末Ｘにおける該ＡＤＣのクリッピングを回避するために非常に低いパワーレベルで送信することが必要となり得る。該近くの端末は、そのような低いパワーレベルで送信することができないことがある。反対に、端末Ｘが最小の受信機利得設定を使用する場合、遠い端末は、端末Ｘによって十分なパワーレベルで受信されるために非常に高いパワーレベルで送信することが必要となり得る。該遠い端末は、そのような高いパワーレベルで送信することができないことがある。
【００３８】
別の態様では、端末は、複数のピア端末から複数のページング信号を受信するために異なるページング・インターバルにおいて異なる受信機利得設定を使用することができる。該複数の受信機利得設定は、この端末へ複数のページング信号を送ることに関与している複数のピア端末によって知られていることができるパターンに基づいて選択され得る。ピア端末は、該既知のパターンに基づいて該端末へページング信号を送るために適切なページング・インターバルを選択することができる。該ピア端末はまた、該選択されたページング・インターバルに関する該受信機利得設定に基づいて該ページング信号に関する送信パワーレベルを決定することができる。
【００３９】
図６は、異なる受信機利得設定を用いて複数のページング信号を受信する設計を示す。図６に示されている設計では、端末Ａは、複数のピア端末から複数のページング信号を受信するために３つの異なる受信機利得設定を使用する。具体的には、端末Ａは、遠いピア端末および、おそらく、もっと近くの端末から複数のページング信号を受信するためにページング・インターバルｔにおいてＧHIGHの高い受信機利得設定を使用する。端末Ａは、中間の(midrange)端末および、おそらく、もっと近くの端末から複数のページング信号を受信するためにページング・インターバルｔ＋１においてＧMIDの中間の(mid)受信機利得設定を使用する。端末Ａは、近くの複数の端末から複数のページング信号を受信するためにページング・インターバルｔ＋２においてＧLOWの低い受信機利得設定を使用する。
【００４０】
端末Ｂは端末Ａの近くに位置されることができ、端末Ａまでの低い経路損失を有することができる。端末Ｂは、ページング・インターバルｔ＋２において高いパワーで、ページング・インターバルｔ＋１において中間のパワーで、あるいはページング・インターバルｔにおいて低いパワーで端末Ａにページング信号を送信することができる。端末Ｂは、式（４）に示されているように、該ページング信号に関する目標の受信されたパワーレベル、端末Ｂから端末Ａまでの経路損失、およびそのページング・インターバルにおいて端末Ａにより使用された該受信機利得設定に基づいて各ページング・インターバルに関する該送信パワーレベルを決定することができる。
【００４１】
端末Ｃは端末Ａへの距離の中間に(midrange)位置されることができ、端末Ａまでの中間の(medium)経路損失を有することができる。端末Ｃは、ページング・インターバルｔ＋１において高いパワーで、あるいはページング・インターバルｔにおいて中間のパワーで端末Ａにページング信号を送信することができる。端末Ｃは、該ページング信号に関する目標の受信されたパワーレベル、端末Ｃから端末Ａまでの経路損失、およびそのページング・インターバルにおいて端末Ａにより使用された該受信機利得設定に基づいて各ページング・インターバルに関する該送信パワーレベルを決定することができる。
【００４２】
端末Ｄは端末Ａから遠く離れて位置されることができ、端末Ａまでの高い経路損失を有することができる。端末Ｄは、ページング・インターバルｔにおいて高いパワーで端末Ａにページング信号を送信することができる。端末Ｄは、該ページング信号に関する目標の受信されたパワーレベル、端末Ｄから端末Ａまでの経路損失、およびページング・インターバルｔにおいて端末Ａにより使用された該受信機利得設定に基づいて該ページング信号に関する該送信パワーレベルを決定することができる。
【００４３】
図６に示されている設計においては、受信機利得パターンは３つのページング・インターバルにおける３つの異なる受信機利得設定を含む。ピア端末は、(i) 該ピア端末の送信能力および経路損失および(ii)端末Ａによって使用される該特定の複数の受信機利得設定に依存して、該パターンの１またはそれより多くのページング・インターバルにおいて端末Ａにページング信号を送信することができる。図６は、近くの端末が遠い端末よりも多くの、ページング・インターバルの選択権(choices)を有し得ることを示唆する。これは、端末Ａによって使用された該特定の複数の受信機利得設定に依存して真実であることができ、あるいは真実でないことができる。図６はまた、ある複数のページング・インターバル（たとえば、ページング・インターバルｔ）が衝突の影響をより受け易いことを示唆する。衝突の確率は、いずれの複数のピア端末が各ページング・インターバルにおいて送信することができるかを制御することにより制御され得る。たとえば、端末Ｂは、ページング・インターバルtにおいて端末Ａにページング信号を送信することを許されることができず、あるいは優先度(priority)が高い場合にのみページング信号を送信することができる。
【００４４】
一般に、与えられた端末Ｘは、複数のピア端末から複数のページング信号を受信するために異なる受信機利得設定のうちの任意の数のものを使用し得る。端末Ｘは、各ページング・インターバルにおいて使用するための特定の受信機利得設定を示し得るパターンに基づいて、これらの異なる受信機利得設定を繰り返す(cycle through)ことができる。複数のピア端末は該パターンを知ることができ、端末Ｘへ複数のページング信号を送信するために適切な複数のページング・インターバルを選択することが可能であり得る。
【００４５】
ピア端末は、これから出てくる各ページング・インターバルにおいて端末Ｘにより使用される受信機利得設定を知ることができる。該ピア端末は、目標の受信されたパワーレベル、端末Ｘまでの経路損失、該ピア端末の該送信パワー能力、ページング待ち時間(latency)等のような様々な考慮事項に基づいて、端末Ｘをページングするために適切なページング・インターバルを選択することができる。該ピア端末は、ページング信号を送る前に端末Ｘが適切な受信機利得設定になるまで待つことができる。該ピア端末は、ページング信号に関する送信パワーレベルを決定するために経路損失を使用することができる。
【００４６】
端末Ｘは、各ページング・インターバルにおいてほとんど該目標の受信されたパワーレベルで複数のピア端末から複数のページング信号を受信することができる。端末Ｘは、望まれた信号レベルを得るために各ページング・インターバルにおいて小さい受信機利得調節だけを行なうことができる。性能は、端末Ｘにおけるドラスティックな(drastic) 即座の(instantaneous)受信機利得調節を回避することにより向上し得る。
【００４７】
１つの設計においては、すべての端末は同じ受信機利得パターンを使用することができる。しかしながら、該パターンは、異なる端末に関する異なるページング・インターバルからスタートし得る。たとえば、図６に示されているパターンはすべての端末によって使用されることができ、端末Ａはページング・インターバルｔにおいて高い受信機利得設定を使用することができ、端末Ｂはページング・インターバルｔ＋１において高い受信機利得設定を使用することができ、端末Ｃはページング・インターバルｔ＋２において高い受信機利得設定を使用することができる、等である。別の設計では、異なる端末は異なる受信機利得パターンを使用することができる。各端末に関するパターンは、その環境、該端末の複数の能力等に基づいて選択され得る。各端末は、たとえば、ピア発見信号によってそのパターンを他の複数の端末に提供することができる。
【００４８】
図７は、無線ネットワークにおいてピア・ツー・ピア（ＰＴＰ）信号を送るためのプロセス７００の設計を示す。第１の端末は、第２の端末からのピア発見信号を受信することができる（ブロック７１２）。該第１の端末は、該第１の端末における受信機利得、該第１の端末における該ピア発見信号の受信されたパワーレベル、および該ピア発見信号の送信パワーレベルに基づいて第２の端末までの経路損失を推定することができる（ブロック７１４）。
【００４９】
該第１の端末は、たとえば、該第１の端末によりアプリオリに知られている所定の受信機利得設定、最大の受信機利得設定、あるいは該第２の端末から受信されたシグナリング(signaling)等に基づいて、該第２の端末において受信機利得設定を決定することができる（ブロック７１６）。第１の端末は、たとえば式（４）に示されている、ＰＴＰ信号に関する目標の受信されたパワーレベル、該第２の端末における受信機利得設定、および該推定された経路損失に基づいて、該ＰＴＰ信号の送信パワーレベルを決定することができる（ブロック７１８）。該ＰＴＰ信号は、ページング信号、制御信号、データ信号、肯定応答(acknowledgement)信号等であることができる。該ＰＴＰ信号を該決定された送信パワーレベルで該第２の端末へ送ることができる（ブロック７２０）。
【００５０】
図８は、無線ネットワークにおいてＰＴＰ信号を送るための装置８００の設計を示す。
【００５１】
装置８００は、第２の端末からのピア発見信号を第１の端末で受信するためのモジュール８１２と、たとえば、該第１の端末における受信機利得、該ピア発見信号の複数の送信および受信されたパワーレベルに基づいて該第１の端末から第２の端末までの経路損失を推定するためのモジュール８１４と、該第２の端末において受信機利得設定を決定するためのモジュール８１６と、ＰＴＰ信号に関する目標の受信されたパワーレベル、該第２の端末における受信機利得設定、および該推定された経路損失に基づいて該ＰＴＰ信号（たとえば、ページング信号）の送信パワーレベルを決定するためのモジュール８１８と、および該ＰＴＰ信号を該決定された送信パワーレベルで該第２の端末へ送るためのモジュール８２０とを含む。
【００５２】
図９は、無線ネットワークにおいて複数のＰＴＰ信号を受信するためのプロセス９００の設計を示す。端末は、他の複数の端末から複数のＰＴＰ信号(たとえば、複数のページング信号)を受信するために異なる時間インターバルにおいて異なる受信機利得設定を選択することができる（ブロック９１２）。該端末はマルチプルの受信機利得設定を備えたパターンに基づいて（たとえば、繰り返すことによって）、異なる受信機利得設定を選択することができる。該端末は、他の複数の端末へ該パターンを示す情報を送ることができ、あるいは該パターンは該複数の端末によって既に知られていることができる。該異なる受信機利得設定は高い受信機利得設定、中間の受信機利得設定、低い受信機利得設定、および、または、他の複数の受信機利得設定を備えることができる。
【００５３】
該端末は複数のＰＴＰ信号を他の複数の端末から各時間インターバルにおいて、その時間インターバルに関して選択された受信機利得設定に基づいて、受信することができる（ブロック９１４）。たとえば、該端末は、高い受信機利得設定が使用される複数の時間インターバル中に高い経路損失を有する複数の端末から複数のページング信号を受信することができる。該端末は、低い受信機利得設定が使用される複数の時間インターバル中に低い経路損失を有する複数の端末から複数のページング信号を受信することができる。
【００５４】
図１０は、無線ネットワークにおいて複数のＰＴＰ信号を受信するための装置１０００の設計を示す。装置１０００は、他の複数の端末から複数のＰＴＰ信号を受信するために異なる時間インターバルにおいて異なる受信機利得設定を端末で選択するためのモジュール１０１２と、および複数のＰＴＰ信号を他の複数の端末から各時間インターバルにおいて、その時間インターバルに関して選択された受信機利得設定に基づいて、受信するためのモジュール１０１４とを含む。
【００５５】
図１１は、無線ネットワークにおいてＰＴＰ信号を送るためのプロセス１１００の設計を示す。第１の端末は、たとえば、第２の端末から受信されたピア発見信号等に基づいて、該第２の端末までの経路損失を決定することができる（ブロック１１１２）。該第１の端末は、たとえば、複数のページング信号の、複数のＰＴＰ信号を受信するために異なる時間インターバルにおいて第２の端末により使用された異なる受信機利得設定を決定することができる（ブロック１１１４）。該異なる受信機利得設定は、あるパターンに基づいて決定されることができ、それは、該第１の端末によって知られることができ、あるいは該第２の端末から受信されることができる。
【００５６】
該第１の端末は、異なる時間インターバルにおいて第２の端末によって使用された異なる受信機利得設定に基づいて該第２の端末へＰＴＰ信号を送るための時間インターバルを選択することができる（ブロック１１１６）。たとえば、該第１の端末は、経路損失が高く、たとえば、第１の閾値を越える場合に高い受信機利得設定が該第２の端末によって使用される時間インターバルを選択することができる。該第１の端末は、経路損失が低く、たとえば、第２の閾値より低い場合に低い受信機利得設定が該第２の端末によって使用される時間インターバルを選択することができる。該第１の端末は、該ＰＴＰ信号の送信パワーレベルを、該ＰＴＰ信号に関する目標の受信されたパワーレベル、該経路損失、および該選択された時間インターバルにおいて第２の端末により使用された受信機利得設定に基づいて決定することができる（ブロック１１１８）。該第１の端末はその後、該選択された時間インターバルにおいておよび該決定された送信パワーレベルで該ＰＴＰ信号を該第２の端末へ送ることができる（ブロック１１２０）
図１２は、無線ネットワークにおいてＰＴＰ信号を送るための装置１２００の設計を示す。装置１２００は、第１の端末から第２の端末までの経路損失を決定するためのモジュール１２１２と、複数のＰＴＰ信号（たとえば、複数のページング信号）を受信するために異なる時間インターバルにおいて該第２の端末により使用された異なる受信機利得設定を決定するためのモジュール１２１４と、複数のＰＴＰ信号を受信するために異なる時間インターバルにおいて該第２の端末によって使用された異なる受信機利得設定に基づいて、該第１の端末から該第２の端末へＰＴＰ信号を送るための時間インターバルを選択するためのモジュール１２１６と、該ＰＴＰ信号の送信パワーレベルを、該ＰＴＰ信号に関する目標の受信されたパワーレベル、該経路損失、および該選択された時間インターバルにおいて該第２の端末により使用された受信機利得設定に基づいて決定するためのモジュール１２１８と、該選択された時間インターバルにおいておよび該決定された送信パワーレベルで該ＰＴＰ信号を該第２の端末へ送るためのモジュール１２２０とを含む。
【００５７】
図８、１０および１２における複数のモジュールは、複数のプロセッサ、複数のエレクトロニクス(electronics)・デバイス、複数のハードウェア・デバイス、複数のエレクトロニクス・コンポーネント、複数の論理回路、複数のメモリ等、あるいはその任意の組合せを備えることができる。
【００５８】
図１３は端末１２０ａおよび１２０ｂの設計のブロック図を示し、それらは図１における無線ネットワーク１００の中の２つの端末である。この設計では、端末１２０ａはＵのアンテナ１３３４ａ乃至１３３４ｕを装備し、端末１２０ｂはＶのアンテナ１３５２ａ乃至１３５２ｖを装備し、ここで一般にＵ≧１およびＶ≧１である。
【００５９】
端末１２０ａにおいて、送信プロセッサ１３２０は、データ・ソース(data source)１３１２からデータを受取り、コントローラ／プロセッサ１３４０から制御情報を受取ることができる。該制御情報は、ピア発見信号で送るべき情報、ページング信号で送るべき情報等を含むことができる。送信プロセッサ１３２０は該データおよび制御情報を処理し（たとえば、符号化し、インターリーブし(interleave)、およびシンボルマップし）、複数のデータシンボルおよび複数の制御シンボルをそれぞれ提供することができる。送信（ＴＸ）マルチプル入力マルチプル出力（ＭＩＭＯ）プロセッサ１３３０は、適用可能であるならば複数のパイロットシンボル、該複数の制御シンボル、および、または該複数のデータシンボルに関して空間処理（たとえば、プリコーディング(precoding)）を行なうことができ、Ｕの出力シンボルストリームをＵの変調器（ＭＯＤ）１３３２ａ乃至１３３２ｕに提供することができる。各変調器１３３２は、出力サンプル・ストリームを得るために各出力シンボルストリーム（たとえば、ＯＦＤＭ、ＳＣ−ＦＤＭ等のための）を処理することができる。各変調器１３３２は、無線周波数（ＲＦ）信号を得るために該出力サンプル・ストリームをさらに処理する（たとえば、アナログに変換し、増幅し、ろ波し(filter)、およびアップコンバートする(upconvert)）ことができる。変調器１３３２ａ乃至１３３２ｕからのＵのＲＦ信号は、Ｕのアンテナ１３３４ａ乃至１３３４ｕによってそれぞれ送信されることができる。
【００６０】
端末１２０ｂにおいて、アンテナ１３５２ａ乃至１３５２ｖは端末１２０ａから該複数のＲＦ信号をそれぞれ受信し、受信された複数の信号を復調器（ＤＥＭＯＤ）１３５４ａ乃至１３５４ｖにそれぞれ提供することができる。各復調器１３５４は、受信された複数のサンプルを得るために受信された各信号を調整する(condition)（たとえば、ろ波し、増幅し、ダウンコンバートし(downconvert)、およびデジタル化する）ことができる。各復調器１３５４は、受信された複数のシンボルを得るために該受信された複数のサンプル（たとえば、ＯＦＤＭ、ＳＣ−ＦＤＭ等の）をさらに処理することができる。ＭＩＭＯ検出器１３５６は、Ｖの復調器１３５４ａ乃至１３５４ｖのすべてから受信された複数のシンボルを得て、適用可能な場合に、該受信された複数のシンボルに関してＭＩＭＯ検出を行ない、検出された複数のシンボルを提供することができる。受信プロセッサ１３５８は、該検出された複数のシンボルを処理し（たとえば、復調し、デインターリーブし(deinterleave)、および復号し）、復号されたデータを該データ・シンク(data sink)１３６０に提供し、復号された制御情報をコントローラ／プロセッサ１３８０に提供することができる。
【００６１】
端末１２０ｂにおいて、データ・ソース１３６２からのデータとコントローラ／プロセッサ１３８０からの制御情報は、送信プロセッサ１３６４によって処理され、適用可能である場合には、ＴＸ ＭＩＭＯプロセッサ１３６６によってプリコーディングされ(precoded)、複数の変調器１３５４によりさらに処理され、複数のアンテナ１３５２によって送信されることができる。端末１２０ａでは、端末１２０ｂからの該複数のＲＦ信号は、複数のアンテナ１３３４によって受信され、複数の復調器１３３２によって処理され、適用可能な場合に、ＭＩＭＯ検出器１３３６によって検出され、端末１２０ｂにより送信された復号されたデータおよび制御情報を得るために受信プロセッサ１３３８によってさらに処理されることができる。
【００６２】
各端末１２０は、たとえば、端末１２０ａにおいて送信プロセッサ１３２０、ＴＸ ＭＩＭＯプロセッサ１３３０、および複数の変調器１３３２を使用して、ピア発見信号、ページング信号および、または他の複数の信号を生成して送信することができる。各端末１２０はまた、たとえば、端末１２０ｂにおいて受信プロセッサ１３５８、ＭＩＭＯ検出器1３５６および複数の復調器１３５４を使用して、複数のピア発見信号、複数のページング信号および、または他の複数の端末からの他の複数の信号を求めて(for)検出を行なうことができる。各端末１２０はまた、タイミングおよび、または同報通信情報等を得るために、通信のための他の複数の送信機ステーション(stations)および、または複数の基地局からの複数の信号を受信して処理することができる。
【００６３】
複数のコントローラ／複数のプロセッサ１３４０および１３８０は、複数の端末１２０ａおよび１２０ｂにおいて該動作をそれぞれ指示することができる。複数のコントローラ／複数のプロセッサ１３４０および１３８０はそれぞれ、図７のプロセス７００、図９のプロセス９００、図１１のプロセス１１００および、またはここに記載された複数の技術の他の複数のプロセスを行なうか、あるいは指示することができる。メモリ１３４２および１３８２は、それぞれ、端末１２０ａおよび１２０ｂのために複数のプログラム・コードおよびデータを格納することができる。
【００６４】
当業者は、情報及び複数の信号が様々な異なるイクノロジーおよび技術のうちの任意のものを使用して表わされ得ることを理解するであろう。上記の記述の全体にわたって参照され得る、たとえば、データ、複数の命令、複数のコマンド、情報、複数の信号、複数のビット、複数のシンボル、および複数のチップは、複数の電圧、複数の電流、複数の電磁波、複数の磁気フィールドまたは粒子、複数の光学フィールドまたは粒子、あるいはその任意の組合せで表わされることができる。
【００６５】
当業者は、本願開示に関連してここに記述された様々な実例となる複数の論理ブロック、複数のモジュール、複数の回路、および複数のアルゴリズム・ステップが、電子ハードウェア、コンピュータ・ソフトウェア、あるいは両者の組合せとしてインプリメントされ得ることをさらに認識するであろう。ハードウェアとソフトウェアのこの互換性を明瞭に示すために、様々な実例となるコンポーネント、ブロック、モジュール、回路、およびステップはそれらの機能性(functionality)の点から一般的に上記に説明されている。そのような機能性がハードウェアとしてインプリメントされるのか、あるいはソフトウェアとしてインプリメントされるのかは、該システム全体に課された複数の設計制約と特定の用途に依存する。当業者は、該説明された機能性を、各特定の用途に関して変化するやり方でインプリメントすることができるが、しかしこのような複数のインプリメンテーション(implementation)決定は、本願開示の技術的範囲からの逸脱を引き起こすものと解釈されるべきではない。
【００６６】
本願の開示に関連してここに記載された様々な例示的な論理ブロック、モジュール、および回路は、ここに記載された複数の機能を行うように設計された汎用プロセッサ、デジタル信号プロセッサ（ＤＳＰ）、特定用途向け集積回路（ＡＳＩＣ）、フィールド・プログラム可能なゲート・アレイ（ＦＰＧＡ）あるいは他のプログラム可能な論理装置（ＰＬＤ）、デイスクリート(discrete)・ゲートまたはトランジスタ論理回路(transistor logic)、複数のデイスクリート・ハードウェア・コンポーネント、あるいはその任意の組合せを用いてインプリメントされ、あるいは行なわれることができる。汎用プロセッサはマイクロプロセッサであることができるが、しかし、別の実施形態においては、該プロセッサは任意の従来のプロセッサ、コントローラ、マイクロコントローラ、あるいは状態機械であることができる。プロセッサはまた、例えば、ＤＳＰコアに関連した１またはそれより多くのマイクロプロセッサ、複数のマイクロプロセッサ、１つのマイクロプロセッサと１つのＤＳＰの組合せ等の、複数の計算デバイスの組合せ、あるいは任意の他のこのような構成としてインプリメントされ得る。
【００６７】
ここにおける開示に関連して記載された１つの方法またはアルゴリズムの複数のステップは、ハードウェアで、プロセッサによって実行されるソフトウェア・モジュールで、あるいは該２者の組合せで直接具体化され得る。ソフトウェア・モジュールは、ＲＡＭメモリ、フラッシュ・メモリ、ＲＯＭメモリ、ＥＰＲＯＭメモリ、ＥＥＰＲＯＭメモリ、複数のレジスタ、ハードディスク(hard disk)、取外し可能ディスク(disk)、ＣＤ−ＲＯＭ、あるいは技術的に知られている任意の他の形態の記憶媒体で存在し得る。典型的な記憶媒体は、プロセッサが該記憶媒体から情報を読取り、及び該記憶媒体に情報を書込むことができるように、該プロセッサに結合される。別の実施形態では、該記憶媒体は該プロセッサに内蔵されている(integral)ことができる。該プロセッサと該記憶媒体はＡＳＩＣ中に存在し得る。該ＡＳＩＣはユーザ端末中に存在し得る。別の実施形態では、該プロセッサと該記憶媒体は、ユーザ端末中の複数のディスクリート・コンポーネントとして存在し得る。
【００６８】
１またはそれより多くの典型的な設計において、記載された複数の機能は、ハードウェア、ソフトウェア、ファームウェア、あるいはその任意の組合せでインプリメントされることができる。ソフトウェアでインプリメントされる場合、該複数の機能は、コンピュータ可読媒体上の１またはそれより多くの命令またはコードとして格納され、あるいは送信されることができる。コンピュータ可読媒体は、ある場所から別の場所へのコンピュータ プログラムの転送を容易にする任意の媒体を含む通信媒体とコンピュータ記憶媒体の両者を含む。記憶媒体は、汎用または専用コンピュータによりアクセスされ得る任意の入手可能な媒体であることができる。限定ではなく、例示すると、このようなコンピュータ可読媒体は、ＲＡＭ、ＲＯＭ、ＥＥＰＲＯＭ、ＣＤ−ＲＯＭまたは他の光ディスク記憶装置(disk storage) 、磁気ディスク記憶装置または他の複数の磁気記憶デバイス、あるいは汎用または専用コンピュータもしくは汎用または専用プロセッサによってアクセスされ得る及び複数のデータ構造または複数の命令の形態で望まれるプログラム・コード手段を伝送または格納するために使用され得る任意の他の媒体、を備えることができる。さらに、いずれの接続もコンピュータ可読媒体と適切に呼ばれる。例えば、同軸ケーブル、光ファイバ・ケーブル、ツイスト・ペア、デジタル加入者線（ＤＳＬ）、または赤外線、無線、及びマイクロ波のような複数の無線テクノロジーを使用して、ソフトウェアがウェブサイト、サーバ、または他の遠隔ソース(source)から送信される場合、該同軸ケーブル、光ファイバ・ケーブル、ツイスト・ペア、ＤＳＬ、または赤外線、無線、及びマイクロ波のような複数の無線テクノロジーは、媒体の定義に含まれる。ここで使用されているディスク(disk) 及びディスク(disc)は、コンパクト ディスク（ＣＤ）、レーザ ディスク、光ディスク、デジタル多用途(versatile)ディスク（ＤＶＤ）、フロッピー（登録商標）ディスク及びブルーレイディスク（登録商標）を含み、ここで、複数のディスク(disks)は通常データを磁気的に再生し、一方複数のディスク(discs)は複数のレーザを用いてデータを光学的に再生する。上記の複数の組合せもまた、コンピュータ可読媒体の技術的範囲内に含まれるべきである。
【００６９】
該開示の先の説明は、当業者が該開示を作成または使用することを可能にするために提供されている。該開示への様々な修正は当業者に容易に明らかとなり、また、ここに規定されている複数の一般的な原理は、該開示の精神と範囲を逸脱せずに、他の複数の変形に適用され得る。したがって、該開示は、ここに説明されている複数の例及び設計に限定されるものではなく、ここに開示されている複数の原理及び複数の新しい特徴と一致する非常に広い範囲を与えられる。
以下に本願発明の当初の特許請求の範囲に記載された発明を付記する。
［書類名］特許請求の範囲
［Ｃ１］
無線通信のための方法であって、
第１の端末から第２の端末までの経路損失を推定することと、
第２の端末における受信機利得設定および前記推定された経路損失に基づいてピア・ツー・ピア（ＰＴＰ）信号に関する送信パワーレベルを決定することと、
前記決定された送信パワーレベルで前記ＰＴＰ信号を前記第２の端末へ送ることとを備える方法。
［Ｃ２］
前記第２の端末からピア発見信号を受信することをさらに備え、前記経路損失を推定することは、前記ピア発見信号の受信されたパワーレベルおよび送信パワーレベルに基づいて前記経路損失を推定することを備える、Ｃ１記載の方法。
［Ｃ３］
前記送信パワーレベルを決定することは、前記第２の端末における前記ＰＴＰ信号に関する目標の受信されたパワーレベルにさらに基づいて前記送信パワーレベルを決定することを備える、Ｃ１記載の方法。
［Ｃ４］
前記第２の端末から受信されたシグナリングに基づいて前記第２の端末における前記受信機利得設定を決定することをさらに備える、Ｃ１記載の方法。
［Ｃ５］
前記第２の端末における前記受信機利得設定は、第１の端末によりアプリオリに知られた所定の受信機利得設定または最大受信機利得設定である、Ｃ１記載の方法。
［Ｃ６］
前記ＰＴＰ信号は、前記第２の端末をページングするために前記第１の端末により送られたページング信号である、Ｃ１記載の方法。
［Ｃ７］
無線通信のための装置であって、
第１の端末から第２の端末までの経路損失を推定し、前記第２の端末における受信機利得設定および前記推定された経路損失に基づいてピア・ツー・ピア（ＰＴＰ）信号に関する送信パワーレベルを決定し、および前記決定された送信パワーレベルで前記ＰＴＰ信号を前記第２の端末へ送るように構成された少なくとも１つのプロセッサを備える装置。
［Ｃ８］
前記少なくとも１つのプロセッサは、前記第２の端末からピア発見信号を受信し、前記ピア発見信号の受信されたパワーレベルおよび送信パワーレベルに基づいて前記経路損失を推定するように構成される、Ｃ７記載の装置。
［Ｃ９］
前記少なくとも１つのプロセッサは、前記第２の端末における前記ＰＴＰ信号に関する目標の受信されたパワーレベルにさらに基づいて前記送信パワーレベルを決定するように構成される、Ｃ７記載の装置。
［Ｃ１０］
無線通信のための装置であって、
第１の端末から第２の端末までの経路損失を推定するための手段と、
前記第２の端末における受信機利得設定および前記推定された経路損失に基づいてピア・ツー・ピア（ＰＴＰ）信号に関する送信パワーレベルを決定するための手段と、
前記決定された送信パワーレベルで前記ＰＴＰ信号を前記第２の端末へ送るための手段と
を備える装置。
［Ｃ１１］
前記第２の端末からピア発見信号を受信するための手段をさらに備え、前記経路損失を推定するための前記手段は、前記ピア発見信号の受信されたパワーレベルおよび送信パワーレベルに基づいて前記経路損失を推定するための手段を備える、Ｃ１０記載の装置。
［Ｃ１２］
前記送信パワーレベルを決定するための前記手段は、前記第２の端末における前記ＰＴＰ信号に関する目標の受信されたパワーレベルにさらに基づいて前記送信パワーレベルを決定するための手段を備える、Ｃ１０記載の装置。
［Ｃ１３］
第１の端末から第２の端末までの経路損失を、少なくとも１つのコンピュータに推定させるためのコードと、
前記第２の端末における受信機利得設定および前記推定された経路損失に基づいてピア・ツー・ピア（ＰＴＰ）信号に関する送信パワーレベルを、前記少なくとも１つのコンピュータに決定させるためのコードと、
前記決定された送信パワーレベルで前記ＰＴＰ信号を前記第２の端末へ、前記少なくとも１つのコンピュータに送らせるためのコードと
を備えるコンピュータ読取可能媒体を備えるコンピュータ・プログラム製品。
［Ｃ１４］
無線通信のための方法であって、
他の複数の端末から複数のピア・ツー・ピア（ＰＴＰ）信号を受信するためにある端末において異なる時間インターバルにおいて異なる受信機利得設定を選択することと、
前記時間インターバルに関して選択された受信機利得設定に基づいて各時間インターバルにおいて他の複数の端末から複数のＰＴＰ信号を受信することと
を備える方法。
［Ｃ１５］
前記異なる受信機利得設定を選択することは、マルチプルの受信機利得設定を備えるパターンに基づいて異なる時間インターバルにおいて異なる受信機利得設定を選択することを備える、Ｃ１４記載の方法。
［Ｃ１６］
前記異なる受信機利得設定は、高い受信機利得設定および低い受信機利得設定を備え、少なくとも２つの異なる受信機利得設定は異なる時間インターバルにおいて選択される、Ｃ１４記載の方法。
［Ｃ１７］
他の複数の端末から複数のＰＴＰ信号を受信することは、
前記高い受信機利得設定が選択される複数の時間インターバル中に高い経路損失を有する複数の端末から複数のページング信号を受信することと、
前記低い受信機利得設定が選択される複数の時間インターバル中に低い経路損失を有する複数の端末から複数のページング信号を受信することと
を備える、Ｃ１６記載の方法。
［Ｃ１８］
前記異なる受信機利得設定は、中間の受信機利得設定をさらに備え、少なくとも３つの異なる受信機利得設定は異なる時間インターバルにおいて選択される、Ｃ１６記載の方法。
［Ｃ１９］
無線通信のための装置であって、
他の複数の端末から複数のピア・ツー・ピア（ＰＴＰ）信号を受信するためにある端末において異なる時間インターバルにおいて異なる受信機利得設定を選択し、時間インターバルに関して選択された受信機利得設定に基づいて各時間インターバルにおいて他の複数の端末から複数のＰＴＰ信号を受信するように構成された少なくとも１つのプロセッサを備える装置。
［Ｃ２０］
前記少なくとも１つのプロセッサは、マルチプルの受信機利得設定を備えるパターンに基づいて異なる時間インターバルにおいて異なる受信機利得設定を選択するように構成される、Ｃ１９記載の装置。
［Ｃ２１］
前記異なる受信機利得設定は、高い受信機利得設定および低い受信機利得設定を備え、前記少なくとも１つのプロセッサは、前記高い受信機利得設定が選択される複数の時間インターバル中に高い経路損失を有する複数の端末から複数のページング信号を受信し、前記低い受信機利得設定が選択される複数の時間インターバル中に低い経路損失を有する複数の端末から複数のページング信号を受信するように構成される、Ｃ１９記載の装置。
［Ｃ２２］
無線通信のための方法であって、
複数のピア・ツー・ピア（ＰＴＰ）信号を受信するために異なる時間インターバルにおいて第２の端末により使用された異なる受信機利得設定に基づいて第１の端末から前記第２の端末へＰＴＰ信号を送るための時間インターバルを選択することと、
前記選択された時間インターバルにおいて前記ＰＴＰ信号を前記第２の端末へ送ることと
を備える方法。
［Ｃ２３］
マルチプルの受信機利得設定を備えるパターンに基づいて異なる時間インターバルにおいて前記第２の端末により使用された異なる受信機利得設定を決定することをさらに備える、Ｃ２２記載の方法。
［Ｃ２４］
前記第１の端末から前記第２の端末までの経路損失を決定することをさらに備え、
前記時間インターバルを選択することは、前記経路損失にさらに基づいて時間インターバルを選択することを備える、Ｃ２２記載の方法。
［Ｃ２５］
前記時間インターバルを選択することは、
前記経路損失が高い場合に、高い受信機利得設定が前記第２の端末により使用される時間インターバルを選択することと、
前記経路損失が低い場合に、低い受信機利得設定が前記第２の端末により使用される時間インターバルを選択することと
を備えるＣ２４記載の方法。
［Ｃ２６］
前記ＰＴＰ信号に関する目標の受信されたパワーレベル、前記経路損失、および前記選択された時間インターバルにおいて前記第２の端末により使用された前記受信機利得設定に基づいて、前記ＰＴＰ信号に関する送信パワーレベルを決定することをさらに備える、Ｃ２４記載の方法。
［Ｃ２７］
無線通信のための装置であって、
複数のピア・ツー・ピア（ＰＴＰ）信号を受信するために異なる時間インターバルにおいて第２の端末により使用された異なる受信機利得設定に基づいて第１の端末から前記第２の端末へＰＴＰ信号を送るための時間インターバルを選択し、前記選択された時間インターバルにおいて前記ＰＴＰ信号を前記第２の端末へ送るように構成された少なくとも１つのプロセッサを備える装置。
［Ｃ２８］
前記少なくとも１つのプロセッサは、前記第１の端末から前記第２の端末までの経路損失を決定し、前記経路損失にさらに基づいて時間インターバルを選択するように構成される、Ｃ２７記載の装置。
［Ｃ２９］
前記少なくとも１つのプロセッサは、前記経路損失が高い場合に、高い受信機利得設定が前記第２の端末により使用される時間インターバルを選択し、前記経路損失が低い場合に、低い受信機利得設定が前記第２の端末により使用される時間インターバルを選択するように構成される、Ｃ２８記載の装置。
［Ｃ３０］
前記少なくとも１つのプロセッサは、前記ＰＴＰ信号に関する目標の受信されたパワーレベル、前記経路損失、および前記選択された時間インターバルにおいて前記第２の端末により使用された前記受信機利得設定に基づいて、前記ＰＴＰ信号に関する送信パワーレベルを決定するように構成される、Ｃ２８記載の装置。
【図１】
0005642693.tif 000003
【図２】
0005642693.tif 000004
【図３】
0005642693.tif 000005
【図４】
0005642693.tif 000006
【図５】
0005642693.tif 000007
【図６】
0005642693.tif 000008
【図７】
0005642693.tif 000009
【図８】
0005642693.tif 000010
【図９】
0005642693.tif 000011
【図１０】
0005642693.tif 000012
【図１１】
0005642693.tif 000013
【図１２】
0005642693.tif 000014
【図１３】
0005642693.tif 000015